(57)【要約】【課題】携帯端末装置の使用中に携帯端末装置を充電する場合であっても、携帯端末装置のパフォーマンスの低下、充電速度の低下及び温度上昇を抑えることができる携帯端末装置充電システム、携帯端末装置用充電装置、携帯端末装置及び携帯端末装置の充電方法を提供すること。【解決手段】本発明にかかる携帯端末装置充電システムは、任意の処理を実行する端末側処理部１３を有する携帯端末装置１１と、携帯端末装置１１を充電する充電装置１２と、を備える。充電装置１２は、携帯端末装置１１の充電期間中に端末側処理部１３で実行される処理の少なくとも一部を、端末側処理部１３を代替して充電期間中に実行する代替処理部１４を有する。【選択図】図１
2012104995.tif 000002
【特許請求の範囲】
【請求項１】
任意の処理を実行する端末側処理部を有する携帯端末装置と、
前記携帯端末装置を充電する充電装置と、を備え、
前記充電装置は、前記携帯端末装置の充電期間中に前記端末側処理部で実行される処理の少なくとも一部を、当該端末側処理部を代替して当該充電期間中に実行する代替処理部を有する
携帯端末装置充電システム。
【請求項２】
前記携帯端末装置は、前記充電期間中に、前記端末側処理部の動作周波数を低下させ、
前記代替処理部は、前記端末側処理部で実行される処理のうち、前記携帯端末装置が低下させた動作周波数に応じた処理を代替して実行する請求項１に記載の携帯端末装置充電システム。
【請求項３】
前記携帯端末装置は、前記充電期間中に、前記端末側処理部を停止し、
前記代替処理部は、前記端末側処理部が実行を停止した処理を代替して実行する請求項２に記載の携帯端末装置充電システム。
【請求項４】
前記携帯端末装置は、前記充電装置からの充電電流の供給を検出した場合に、前記端末側処理部の動作周波数を低下させる請求項２又は３に記載の携帯端末装置充電システム。
【請求項５】
前記携帯端末装置は、当該携帯端末装置の内部の温度を測定する測定部をさらに有し、
前記携帯端末装置は、前記充電期間中に、前記測定部が測定した温度が所定の閾値を超えたとき、前記端末側処理部の動作周波数を低下させる請求項２又は３に記載の携帯端末装置充電システム。
【請求項６】
前記携帯端末装置は、当該携帯端末装置と前記充電装置との接続が解除された場合に、前記端末側処理部の動作周波数を向上し、
前記端末側処理部は、当該携帯端末装置と前記充電装置との接続が解除された場合に、前記代替処理部が代替していた処理の実行を再開する請求項２乃至５のいずれか１項に記載の携帯端末装置充電システム。
【請求項７】
前記端末側処理部及び前記代替処理部のそれぞれは、ＣＰＵである請求項１乃至６のいずれか１項に記載の携帯端末装置充電システム。
【請求項８】
任意の処理を実行する端末側処理回路を有する携帯端末装置を充電する携帯端末装置用充電装置であって、
前記携帯端末装置の充電期間中に前記端末側処理部で実行される処理の少なくとも一部を、当該端末側処理部を代替して当該充電期間中に実行する代替処理部を備えた携帯端末装置用充電装置。
【請求項９】
代替処理部を有する充電装置によって充電される携帯端末装置であって、
前記代替処理部が、前記携帯端末装置の充電期間中に前記端末側処理部で実行される処理の少なくとも一部を、当該端末側処理部を代替して当該充電期間中に実行している場合に、当該少なくとも一部の処理の実行を停止する端末側処理部を備えた携帯端末装置。
【請求項１０】
充電装置から携帯端末装置への充電を検出するステップと、
前記充電を検出した場合に、前記充電装置が、前記携帯端末装置で実行される処理の少なくとも一部を、前記充電装置で代替して実行するステップと、
を備えた携帯端末装置の充電方法。
【発明の詳細な説明】
【技術分野】
【０００１】
本発明は、携帯端末装置充電システム、携帯端末装置用充電装置、携帯端末装置及び携帯端末装置の充電方法に関する。
【背景技術】
【０００２】
今日、携帯端末装置は、高性能化及び多機能化が進んでいる。例えば、携帯端末装置に搭載されるＣＰＵ(Central Processing Unit)は、高機能化が進んでいる。それに伴い、ＣＰＵの電力消費量は、増加の一途を辿っている。一方で、携帯端末装置の小型化及び薄型化が要求されている。また、それに応じた、携帯端末装置の効率的な放熱方法が要求されている。
【０００３】
特に、携帯端末装置は、充電中に携帯端末装置を動作させた場合、最も発熱量が大きくなる。充電によってバッテリから発生する熱と携帯端末装置の動作によってＣＰＵから発生する熱の両方が発生するからである。しかし、ユーザは、携帯端末装置を動作させたまま、充電を行いたい場合が多々ある。例えば、ユーザが通話又はＴＶ(TeleVision)電話等を行いながら充電を行いたい場合がある。そのような場合における携帯端末装置の放熱方法として、携帯端末装置が一定温度を超えた場合に、急速な充電を避けて、充電中の温度上昇を抑える方式が提案されている。
【０００４】
具体的には、携帯端末装置の発熱量が大きくなって、一定温度を超えた場合に、温度が低下するまで、充電を停止する、又は、充電電圧と充電電流を制御して充電速度を低下させる、といった方式が提案されている。これによれば、急速な充電を避けて、充電中の温度上昇を抑えることができる。しかし、その結果、充電できない、又は、充電時間が大幅に延びてしまう等の弊害が発生していた。また、それによって、携帯端末装置の使用途中でバッテリ切れが発生してしまう可能性があった。
【０００５】
特許文献１には、携帯電子機器と、携帯電子機器用充電器とから構成される携帯電子機器が開示されている。携帯電子機器は、充電可能なバッテリと、ＣＰＵと、電源スイッチと、補助電源供給手段と、を有する。電源スイッチは、携帯電子機器の全体の回路に供給する電源をオン・オフする。補助電源供給手段は、充電中、電源スイッチがオフの時に、バッテリからＣＰＵに直接電流を供給する。これによって、携帯電子機器の電源がオフの状態でも、携帯電子機器内のＣＰＵを用いて携帯電子機器用充電器を制御して、バッテリの充電ができるようにしている。
【０００６】
特許文献２には、電池と、電力供給手段と、パワーマネージメント手段と、を備えた電気機器が開示されている。パワーマネージメント手段は、電力供給手段により電池および本体に対して電力を供給する際に、電池への充電電力を増すために本体の消費電力を低下させる。これによって、充放電を行う電池を用いた電気機器において、必要に応じて充電時間を短縮することができるようにしている。
【先行技術文献】
【特許文献】
【０００７】
【特許文献１】特開平０９−１６８２４１号公報
【特許文献２】特開２００３−０７９０６７号公報
【発明の概要】
【発明が解決しようとする課題】
【０００８】
背景技術として説明したように、携帯端末装置の使用中に携帯端末装置を充電する場合、携帯端末装置の温度上昇を抑えようとすると、充電速度が低下してしまうという課題がある。
【０００９】
しかし、特許文献１に開示の技術は、携帯端末装置の使用中に携帯端末装置を充電する技術を開示したものではない。一方、特許文献２に開示の技術は、充電速度の低下を抑えて、充電時間を短縮することはできる。しかし、特許文献２に開示の技術は、ＣＰＵを低速化させることによって、本体の消費電力を低下させている。そのため、特許文献２に開示の技術は、電気機器のパフォーマンスが低下してしまっているという課題がある。
【００１０】
本発明の目的は、上述した課題を解決するために、携帯端末装置の使用中に携帯端末装置を充電する場合であっても、携帯端末装置のパフォーマンスの低下、充電速度の低下及び温度上昇を抑えることができる携帯端末装置充電システム、携帯端末装置用充電装置、携帯端末装置及び携帯端末装置の充電方法を提供することにある。
【課題を解決するための手段】
【００１１】
本発明の第１の態様にかかる携帯端末装置充電システムは、任意の処理を実行する端末側処理部を有する携帯端末装置と、前記携帯端末装置を充電する充電装置と、を備え、  前記充電装置は、前記携帯端末装置の充電期間中に前記端末側処理部で実行される処理の少なくとも一部を、当該端末側処理部を代替して当該充電期間中に実行する代替処理部を有するものである。
【００１２】
本発明の第２の態様にかかる携帯端末装置用充電装置は、任意の処理を実行する端末側処理回路を有する携帯端末装置を充電する携帯端末装置用充電装置であって、前記携帯端末装置の充電期間中に前記端末側処理部で実行される処理の少なくとも一部を、当該端末側処理部を代替して当該充電期間中に実行する代替処理部を備えたものである。
【００１３】
本発明の第３の態様にかかる携帯端末装置は、代替処理部を有する充電装置によって充電される携帯端末装置であって、前記代替処理部が、前記携帯端末装置の充電期間中に前記端末側処理部で実行される処理の少なくとも一部を、当該端末側処理部を代替して当該充電期間中に実行している場合に、当該少なくとも一部の処理の実行を停止する端末側処理部を備えたものである。
【００１４】
本発明の第４の態様にかかる携帯端末装置の充電方法は、充電装置から携帯端末装置への充電を検出するステップと、前記充電を検出した場合に、前記携帯端末装置で実行される処理の少なくとも一部を、前記充電装置で代替して実行するステップと、を備えたものである。
【発明の効果】
【００１５】
上述した本発明の各態様により、携帯端末装置の使用中に携帯端末装置を充電する場合であっても、携帯端末装置のパフォーマンスの低下、充電速度の低下及び温度上昇を抑えることができる携帯端末装置充電システム、携帯端末装置用充電装置、携帯端末装置及び携帯端末装置の充電方法を提供することができる。
【図面の簡単な説明】
【００１６】
【図１】本発明の実施の形態１にかかる携帯端末装置充電システムの概要を示す図である。
【図２】本発明の実施の形態１にかかる携帯端末装置充電システムの構成図である。
【図３】本発明の実施の形態１にかかる携帯端末装置充電システムの処理を示すフローチャートである。
【図４】本発明の実施の形態２にかかる携帯端末装置充電システムの処理を示すフローチャートである。
【発明を実施するための形態】
【００１７】
発明の実施の形態１．
まず、図１を参照して、本発明の実施の形態１にかかる携帯端末装置充電システム１０の概要について説明する。図１は、本発明の実施の形態１にかかる携帯端末装置充電システム１０の概要を示す図である。
【００１８】
携帯端末装置充電システム１０は、携帯端末装置１１及び充電装置１２を有する。
携帯端末装置１１は、端末側処理部１３を有する。
充電装置１２は、代替処理部１４を有する。充電装置１２は、携帯端末装置１１を充電する。
端末側処理部１３は、任意の処理を実行する。
代替処理部１４は、携帯端末装置１１の充電期間中に端末側処理部１３で実行される処理の少なくとも一部を、端末側処理部１３を代替して充電期間中に実行する。
【００１９】
続いて、本発明の実施の形態１にかかる携帯端末装置充電システム１０の処理の概要について説明する。
【００２０】
携帯端末装置１１又は充電装置１２は、充電装置１２から携帯端末装置１１への充電を検出する。充電装置１２から携帯端末装置１１への充電が検出された場合に、代替処理部１４は、端末側処理部１３で実行される処理の少なくとも一部を代替して実行する。
【００２１】
続いて、図２を参照して、本発明の実施の形態１にかかる携帯端末装置充電システム１００の構成について説明する。図２は、本発明の実施の形態１にかかる携帯端末装置充電システム１００の構成図である。
携帯端末装置充電システム１００は、携帯端末装置１０１及び充電器１０２を有する。
【００２２】
携帯端末装置１０１は、ＣＰＵ１０５、インターフェース１０６、切り替えスイッチ１０７、電源線１０８、メモリ１０９及びバッテリ１１０を有する。携帯端末装置１０１は、例えば、携帯電話、ＰＨＳ(Personal Handyphone System)、ＰＤＡ(Personal Digital Assistant)及びノート型ＰＣ(Personal Computer)等である。携帯端末装置１０１は、携帯端末装置１１に対応する。
【００２３】
充電器１０２は、充電端子１０３及びＣＰＵ１０４を有する。充電器１０２は、充電の際に、充電端子１０３を介して、携帯端末装置１０１にセットされる。充電器１０２は、例えば、コンセントに接続される。充電器１０２は、コンセントから供給された電流をＡＤ(Analog to Digital)変換する。充電器１０２は、ＡＤ変換された電流を、携帯端末装置１０１を充電する充電電流として携帯端末装置１０１に供給する。充電器１０２は、充電装置１２に対応する。
【００２４】
ＣＰＵ１０４と切り替えスイッチ１０７とは、インターフェース１０６によって相互に接続されている。ＣＰＵ１０５と切り替えスイッチ１０７とは、インターフェース(符号不図示)によって相互に接続されている。切り替えスイッチ１０７とメモリ１０９とは、インタフェース(符号不図示)によって相互に接続されている。つまり、ＣＰＵ１０４、ＣＰＵ１０５及び切り替えスイッチ１０７は、インターフェース及び切り替えスイッチ１０７を介して相互に接続されている。インターフェースは、例えば、バスである。
【００２５】
充電端子１０３は、ＣＰＵ１０４を有する。充電端子１０３は、充電器１０２と携帯端末装置１０１とを接続する端子である。充電端子１０３は、電源線１０８を介して、充電電流をバッテリ１１０に供給する。
【００２６】
ＣＰＵ１０４は、携帯端末装置１０１の充電時に携帯端末装置１０１の演算及び制御等の処理を実行する。つまり、ＣＰＵ１０４は、携帯端末装置１０１の充電期間中に、ＣＰＵ１０５で実行される処理を、ＣＰＵ１０５を代替して実行する。ＣＰＵ１０４は、インターフェース１０６及び切り替えスイッチ１０７を介して、演算途中のデータをメモリ１０９に格納する。また、ＣＰＵ１０４は、インターフェース１０６及び切り替えスイッチ１０７を介して、メモリ１０９から演算途中のデータを取得して、取得したデータに基づいて処理を実行する。ＣＰＵ１０４は、代替処理部１４に対応する。
【００２７】
ＣＰＵ１０５は、携帯端末装置１０１の処理を実行する。ＣＰＵ１０５は、インターフェース及び切り替えスイッチ１０７を介して、演算途中のデータをメモリ１０９に格納する。また、ＣＰＵ１０５は、インターフェース及び切り替えスイッチ１０７を介して、メモリ１０９から演算途中のデータを取得して、取得したデータに基づいて処理を実行する。ＣＰＵ１０５は、端末側処理部１３に対応する。
【００２８】
インターフェース１０６は、ＣＰＵ１０４及び切り替えスイッチ１０７間で、データを転送する。
切り替えスイッチ１０７は、ＣＰＵ１０４及びＣＰＵ１０５の動作を切り替える。切り替えスイッチ１０７は、充電器１０２を用いて携帯端末装置１０１を充電する際に、ＣＰＵ１０５の動作を停止して、ＣＰＵ１０４の動作を開始させる。また、切り替えスイッチ１０７は、充電端子１０３が携帯端末装置１０１から抜去された際に、ＣＰＵ１０５の動作を再開する。
【００２９】
電源線１０８は、充電端子１０３とバッテリ１１０との間を相互に接続する。電源線１０８は、充電端子１０３から供給された充電電流を、バッテリ１１０に供給する。
メモリ１０９は、ＣＰＵ１０４及びＣＰＵ１０５によって生成された演算途中のデータが格納される。
バッテリ１１０は、電源線１０８から充電電流が供給される。これによって、バッテリ１１０が充電される。つまり、携帯端末装置１０１が充電される。
【００３０】
続いて、図３を参照して、本発明の実施の形態１にかかる携帯端末装置充電システム１００の処理について説明する。図３は、本発明の実施の形態１にかかる携帯端末装置充電システム１００の処理を示すフローチャートである。
【００３１】
携帯端末装置１０１に充電端子１０３をセットすると、携帯端末装置１０１のバッテリ１１０の充電が開始される(Ｓ１０１)。具体的には、充電器１０２がコンセントに接続され、かつ、充電端子１０３が携帯端末装置１０１に接続された場合、充電端子１０３は、バッテリ１１０を充電するため充電電流を携帯端末装置１０１に供給する。
【００３２】
切り替えスイッチ１０７は、バッテリ１１０の充電が開始されたか否かを監視する。具体的には、切り替えスイッチ１０７は、電源線１０８に充電端子１０３からバッテリ１１０への充電電流が流れたか否かによって充電が開始されたか否かを検出する。切り替えスイッチ１０７は、バッテリ１１０の充電の開始を検出した場合、ＣＰＵ切り替えを実行する(Ｓ１０２)。具体的には、切り替えスイッチ１０７は、充電端子１０３のＣＰＵ１０４を起動する(Ｓ１０３)。また、切り替えスイッチ１０７は、携帯端末装置１０１のＣＰＵ１０５を停止する(Ｓ１０４)。例えば、切り替えスイッチ１０７は、ＣＰＵ１０５へのクロック信号の供給を停止することで、ＣＰＵ１０５を停止する。
【００３３】
これによって、ＣＰＵ１０４は、携帯端末装置１０１の処理の実行を開始する(Ｓ１０５)。つまり、充電端子１０３のＣＰＵ１０４は、携帯端末装置１０１のＣＰＵ１０５が実行する処理を代替して実行する。具体的には、メモリ１０９には、ＣＰＵ１０５が演算途中のデータが格納されている。ＣＰＵ１０４は、インターフェース１０６を介して、メモリ１０９に格納されたデータを取得する。ＣＰＵ１０４は、取得したデータに基づいて、ＣＰＵ１０５が実行する予定だった処理を代替して実行する。
【００３４】
これによって、ＣＰＵ１０５が動作しなくなるため、ＣＰＵ１０５は発熱しなくなる。そのため、ＣＰＵに大きな負荷がかかる処理を実行させた場合であっても、携帯端末装置１０１の温度上昇を最低限に抑えることができる。また、それによって、充電を停止する、又は、充電電圧と充電電流を制御して充電速度を低下させる、といった制御を行う必要がなくなる。そのため、携帯端末装置１０１の充電速度の低下を抑えることができる。ＣＰＵに大きな負荷がかかる処理とは、例えば、ユーザが、通話、ＴＶ電話又はゲーム等を行った場合、もしくは、それらのうちの２つ以上をマルチ起動によって行った場合に実行される処理である。
【００３５】
携帯端末装置１０１の充電が完了して、ユーザによって充電端子１０３が携帯端末装置１０１から抜去された場合(Ｓ１０６)、切り替えスイッチ１０７は、ＣＰＵ切り替えを実行する(Ｓ１０７)。切り替えスイッチ１０７は、例えば、充電端子１０３と切り替えスイッチ１０７との間で接続される任意の信号線(図示せず)の信号値の変化を検出することで、充電端子１０３が抜去されたことを検出する。
【００３６】
ステップＳ１０７では、具体的には、切り替えスイッチ１０７は、携帯端末装置１０１のＣＰＵ１０５を起動する(Ｓ１０８)。例えば、切り替えスイッチ１０７は、ＣＰＵ１０５へのクロック信号の供給を再開する。これによって、ＣＰＵ１０５は、携帯端末装置１０１の処理の実行を再開する。つまり、携帯端末装置１０１のＣＰＵ１０５は、充電端子１０３のＣＰＵ１０４によって代替して実行されていた処理の実行を再開する。
【００３７】
ＣＰＵ１０４は、動作を停止する(Ｓ１０９)。ユーザによって充電端子１０３が携帯端末装置１０１から抜去された場合、ＣＰＵ１０４又は充電端子１０３は、ＣＰＵ１０４の動作を停止する。ＣＰＵ１０４又は充電端子１０３は、例えば、上述した任意の信号線の信号値の変化を検出することで、充電端子１０３が抜去されたことを検出する。
【００３８】
以上に説明したように、本実施の形態１にかかる充電器１０２は、携帯端末装置１０１の充電期間中にＣＰＵ１０５で実行される処理を、ＣＰＵ１０５に代替して充電期間中に実行するＣＰＵ１０４を有している。
【００３９】
これによれば、携帯端末装置１０１のＣＰＵ１０５の処理を、充電器１０２のＣＰＵ１０４が代替して実行している。そのため、携帯端末装置１０１のパフォーマンスの低下を抑えることができる。また、携帯端末装置１０１のＣＰＵ１０５は、携帯端末装置１０１の充電期間中に処理を実行しなくてよくなる。そのため、ＣＰＵ１０５による発熱を抑えることができる。つまり、携帯端末装置１０１の温度上昇を抑えることができる。また、それによって、携帯端末装置１０１の充電速度を低下させることによって、バッテリ１１０の発熱を抑える必要がなくなる。そのため、携帯端末装置１０１の充電速度の低下を抑えることができる。
【００４０】
また、本実施の形態では、充電期間中に、充電器１０２のＣＰＵ１０４によって携帯端末装置１０１の処理を実行することができる。つまり、携帯端末装置１０１のバッテリ１１０を使用することなく、コンセントから供給されるＡＣ(Alternating Current)電源によってＣＰＵ１０４を駆動させて処理を実行することができる。これによれば、ＡＤ変換によって損失が生じる前の電力によってＣＰＵ１０４を駆動させて処理を実行することができる。そのため、携帯端末装置１０１のバッテリ１１０を使用しながら充電する場合と比較して、効率的に充電をすることができる。
【００４１】
また、本実施の形態では、充電期間中に、充電器１０２のＣＰＵ１０４によって携帯端末装置１０１の処理を実行することができる。ここで、充電器は、携帯端末装置ほど小型化及び薄型化が要求されていない。したがって、充電器１０２に、ＣＰＵ１０４を冷却するヒートシンク等の放熱手段を実装し易い。一般的に、ＣＰＵが冷却できていた方が、ＣＰＵの処理効率が向上し、消費電力を低減することができる。そのため、携帯端末装置１０１のＣＰＵ１０５を使用しながら充電する場合と比較して、消費電力を低減することができる。
【００４２】
発明の実施の形態２．
続いて、図４を参照して、本発明の実施の形態２にかかる携帯端末装置充電システム１００の処理について説明する。図４は、本発明の実施の形態２にかかる携帯端末装置充電システム１００の処理を示すフローチャートである。なお、本発明の実施の形態２にかかる携帯端末装置充電システム１００の構成は、実施の形態１と同様であるため、説明を省略する。
【００４３】
本実施の形態２では、ＣＰＵ切り替え時に、携帯端末装置１０１のＣＰＵ１０５を停止することなく、ＣＰＵ１０５の動作を通常モードから省電モードに変更する。そして、充電端子１０３のＣＰＵ１０４が不足分の演算能力を補完するように動作する。省電力モードとは、ＣＰＵのクロック周波数を通常モードにおけるクロック周波数よりも低下させるモードである。
【００４４】
携帯端末装置１０１に充電端子１０３をセットすると、携帯端末装置１０１のバッテリ１１０の充電が開始される(Ｓ２０１)。切り替えスイッチ１０７は、バッテリ１１０の充電の開始を検出した場合、ＣＰＵ切り替えを実行する(Ｓ２０２)。具体的には、切り替えスイッチ１０７は、充電端子１０３のＣＰＵ１０４を起動する(Ｓ２０３)。また、切り替えスイッチ１０７は、携帯端末装置１０１のＣＰＵ１０５の動作を省電モードに変更する(Ｓ２０４)。切り替えスイッチ１０７は、例えば、ＣＰＵ１０５に供給するクロック信号のクロック周波数を下げる。ＣＰＵ１０５のクロック周波数をどこまで下げるかは、予め任意に定めておいてよい。
【００４５】
このとき、携帯端末装置１０１のＣＰＵ１０５は、実行していた処理のうち、低下後のクロック周波数に応じた一部の処理を実行する。ＣＰＵ１０５は、例えば、負荷の少ない処理のみを実行する。そして、充電端子１０３のＣＰＵ１０４は、携帯端末装置１０１のＣＰＵ１０５が実行する処理のうち、ＣＰＵ１０５が実行する処理を除く主な処理を補完するために実行する(Ｓ２０５)。つまり、ＣＰＵ１０４は、切り替えスイッチ１０７が低下させたクロック周波数に応じた処理を代替して実行する。例えば、ＣＰＵ１０４及びＣＰＵ１０５のそれぞれが実行する処理量は、ＣＰＵ切り替え前にＣＰＵ１０５が実行していた処理をＣＰＵ１０４及びＣＰＵ１０５で実行できる処理量となる。
【００４６】
これによって、ＣＰＵ１０５が低速で動作するようになるため、ＣＰＵ１０５の発熱量を低減することができる。そのため、ＣＰＵに大きな負荷がかかる処理を実行させた場合であっても、携帯端末装置１０１の温度上昇を抑えることができる。また、それによって、充電を停止する、又は、充電電圧と充電電流を制御して充電速度を低下させる、といった制御を行う必要がなくなる。そのため、携帯端末装置１０１の充電速度の低下を抑えることができる。
【００４７】
携帯端末装置１０１の充電が完了して、ユーザによって充電端子１０３が携帯端末装置１０１から抜去された場合(Ｓ２０６)、切り替えスイッチ１０７は、ＣＰＵ切り替えを実行する(Ｓ２０７)。具体的には、切り替えスイッチ１０７は、携帯端末装置１０１のＣＰＵ１０５に供給するクロック信号のクロック周波数を通常モードにおけるクロック周波数まで上げる(Ｓ２０８)。これによって、ＣＰＵ１０５は、携帯端末装置１０１の全ての処理の実行を再開する。つまり、携帯端末装置１０１のＣＰＵ１０５は、充電端子１０３のＣＰＵ１０４によって代替して実行されていた処理の実行を再開する。ＣＰＵ１０４は、動作を停止する(Ｓ２０９)。
【００４８】
以上に説明したように、本実施の形態２にかかる充電器１０２は、携帯端末装置１０１の充電期間中にＣＰＵ１０５で実行される処理の少なくとも一部を、ＣＰＵ１０５に代替して充電期間中に実行するＣＰＵ１０４を有している。
【００４９】
これによれば、携帯端末装置１０１のＣＰＵ１０５の処理の少なくとも一部を、充電器１０２のＣＰＵ１０４が代替して実行している。そのため、携帯端末装置１０１のパフォーマンスの低下を抑えることができる。また、携帯端末装置１０１のＣＰＵ１０５は、携帯端末装置１０１の充電期間中に処理を一部しか実行しなくてよくなる。そのため、ＣＰＵ１０５による発熱を抑えることができる。つまり、携帯端末装置１０１の温度上昇を抑えることができる。また、それによって、携帯端末装置１０１の充電速度を低下させることによって、バッテリ１１０の発熱を抑える必要がなくなる。そのため、携帯端末装置１０１の充電速度の低下を抑えることができる。
【００５０】
発明の他の実施例．
上述した本実施の形態において、ＣＰＵだけでなく、その他の発熱量の大きい部品を充電器１０２の充電端子１０３に実装するようにしてもよい。そして、携帯端末装置１０１の充電期間中に、ＣＰＵ１０４と同様に、充電端子１０３に実装された部品で代替して処理を実行するようにしてもよい。その他の発熱量の大きい部品は、例えば、電源制御ＩＣ、充電制御ＩＣ(Integrated Circuit)及びＲＦ(Radio Frequency)モジュール等である。
【００５１】
上述した本実施の形態において、ＣＰＵ切り替えを充電開始と同時ではなく、携帯端末装置１０１の内部温度が所定の閾値を超えた場合に実施するようにしてもよい。例えば、携帯端末装置１０１の内部の温度を測定するセンサを携帯端末装置１０１が有するようにする。また、切り替えスイッチ１０７がセンサを有するようにしてもよい。そして、切り替えスイッチ１０７は、センサが測定した温度が所定の閾値を超えた場合に、ＣＰＵ切り替えを実施するようにしてもよい。
【００５２】
なお、本発明は上記実施の形態に限られたものではなく、趣旨を逸脱しない範囲で適宜変更することが可能である。
【００５３】
本実施の形態では、充電電流の電源がコンセントである場合について例示したが、これに限られない。例えば、充電電流の電源が電池であってもよい。つまり、本実施の形態における充電器は、電池を有し、その電池によって携帯端末装置を充電する充電器も含まれる。電池には、乾電池及び太陽電池等の様々な電池が含まれる。
【００５４】
本実施の形態では、切り替えスイッチ１０７を携帯端末装置１０１が有する場合について例示したが、これに限られない。例えば、切り替えスイッチ１０７を充電器１０２の充電端子１０３に備えるようにしてもよい。そして、切り替えスイッチ１０７は、インターフェース１０６を介して、ＣＰＵ１０５の動作を切り替えるようにしてもよい。
【００５５】
本実施の形態では、充電器が携帯端末装置の充電に使用される単機能の充電器である場合について例示したが、これに限られない。充電器には、携帯端末装置の充電以外にも使用される多機能の充電器も含まれる。多機能の充電器は、例えば、ＰＣであってもよい。携帯端末装置とＰＣとを任意のインターフェースによって接続することで、インターフェースを介して、ＰＣから携帯端末装置に充電電流が供給されるようにしてもよい。この場合、ＰＣが有するＣＰＵによって、携帯端末装置のＣＰＵの処理を代替して実行するようにしてもよい。
【００５６】
本実施の形態では、充電電流が流れたか否かによって、充電が開始されたか否かを検出する場合について例示したが、これに限られない。例えば、充電器１０２が携帯端末装置１０１に接続されたか否かによって、充電が開始されたか否かを検出するようにしてもよい。
【符号の説明】
【００５７】
１０、１００    携帯端末装置充電システム
１１、１０１    携帯端末装置
１２    充電装置
１３    端末側処理部
１４    代替処理部
１０２    充電器
１０３    充電端子
１０４、１０５  ＣＰＵ
１０６    インターフェース
１０７    切り替えスイッチ
１０８    電源線
１０９    メモリ
１１０    バッテリ
【図１】
2012104995.tif 000003
【図２】
2012104995.tif 000004
【図３】
2012104995.tif 000005
【図４】
2012104995.tif 000006